(57)【特許請求の範囲】
【請求項１】
移動無線端末装置が無線接続される第１の無線通信ネットワークと第２の無線通信ネットワークとを備えた移動通信システムにおいて、
前記移動無線端末装置は、
当該移動無線端末装置に固有に割り当てられた個体識別情報を記憶する第１記憶手段と、
前記第２の無線通信ネットワークに無線接続するために必要な第２加入者識別情報を記憶する第２記憶手段と、
この第２記憶手段が記憶する第２加入者識別情報を送信して、前記第２の無線通信ネットワークに無線接続し、前記第１記憶手段が記憶する個体識別情報を送信する第１通信手段とを備え、
前記第２の無線通信ネットワークは、
第１加入者識別情報と第２加入者識別情報とを対応づけて記憶する第３記憶手段と、
前記移動無線端末装置から個体識別情報および第２加入者識別情報を受信する第１受信手段と、
この第１受信手段が受信した第２加入者識別情報に対応する第１加入者識別情報を、前記第３記憶手段から検出する検出手段と、
この検出手段が検出した第１加入者識別情報と前記第１受信手段が受信した個体識別情報を、前記第１の無線通信ネットワークに対して送信する第２通信手段を備え、
前記第１の無線通信ネットワークは、
前記第２の無線通信ネットワークから第１加入者識別情報と個体識別情報を受信する第２受信手段と、
この第２受信手段が第１加入者識別情報と個体識別情報を受信した場合に、前記第２の無線通信ネットワークに対して、接続許可を示す許可情報を送信する第３通信手段とを備え、
さらに、前記第２の無線通信ネットワークは、
前記第１の無線通信ネットワークから前記許可情報を受信した場合に、前記検出手段が検出した第１加入者識別情報を、前記移動無線端末装置に送信する第４通信手段を備え、
さらに、前記移動無線端末装置は、
前記第２の無線通信ネットワークから前記第１加入者識別情報を受信した場合に、この第１加入者識別情報および前記第１記憶手段が記憶する個体識別情報を用いて、前記第１の無線通信ネットワークに接続する第５通信手段を備えることを特徴とする移動通信システム。
【請求項２】
前記移動無線端末装置は、さらに、第１加入者識別情報を記憶可能な記憶手段を備え、
前記第１通信手段は、前記記憶手段が前記第１加入者識別情報を記憶しない場合に、前記第２記憶手段が記憶する第２加入者識別情報を送信して、前記第２の無線通信ネットワークに無線接続し、前記第１記憶手段が記憶する個体識別情報を送信することを特徴とする請求項１に記載の移動通信システム。
【請求項３】
前記移動無線端末装置は、さらに、位置情報を検出する位置情報検出手段を備え、
前記第１通信手段は、前記第２記憶手段が記憶する第２加入者識別情報を送信して、前記第２の無線通信ネットワークに無線接続し、前記第１記憶手段が記憶する個体識別情報と前記位置情報検出手段が検出した位置情報を送信し、
前記第１受信手段は、前記移動無線端末装置から個体識別情報、第２加入者識別情報および位置情報を受信し、
前記第２通信手段は、前記検出手段が検出した第１加入者識別情報、前記第１受信手段が受信した個体識別情報および位置情報を、前記第１の無線通信ネットワークに対して送信し、
前記第１の無線通信ネットワークは、複数の無線基地局を備え、
前記第２受信手段は、前記第２の無線通信ネットワークから第１加入者識別情報、個体識別情報および位置情報を受信し、
さらに、前記第２受信手段が第１加入者識別情報と個体識別情報を受信した場合に、前記第２受信手段が受信した位置情報に対応する無線基地局に対して、前記移動無線端末装置からの接続要求を受け入れるように指示する基地局制御手段を備えることを特徴とする請求項１に記載の移動通信システム。
【請求項４】
移動無線端末装置が無線接続される第１の無線通信ネットワークと第２の無線通信ネットワークとを備えた移動通信システムの制御方法において、
前記移動無線端末装置は、
第１通信手段により、第２記憶手段により記憶された前記第２の無線通信ネットワークに無線接続するために必要な第２加入者識別情報を送信して、前記第２の無線通信ネットワークに無線接続し、第１記憶手段により記憶された前記移動無線端末装置に固有に割り当てられた個体識別情報を送信し、
前記第２の無線通信ネットワークは、
第１受信手段により、前記移動無線端末装置から個体識別情報および第２加入者識別情報を受信し、
検出手段により、前記第１受信手段が受信した第２加入者識別情報に対応する第１加入者識別情報を、第３記憶手段により記憶された第１加入者識別情報と第２加入者識別情報との対応づけから検出し、
第２通信手段により、前記検出手段が検出した第１加入者識別情報と前記第１受信手段が受信した個体識別情報を、前記第１の無線通信ネットワークに対して送信し、
前記第１の無線通信ネットワークは、
第２受信手段により、前記第２の無線通信ネットワークから第１加入者識別情報と個体識別情報を受信し、
第３通信手段により、前記第２受信手段が第１加入者識別情報と個体識別情報を受信した場合に、前記第２の無線通信ネットワークに対して、接続許可を示す許可情報を送信し、
前記第２の無線通信ネットワークは、
第４通信手段により、前記第１の無線通信ネットワークから前記許可情報を受信した場合に、前記検出手段が検出した第１加入者識別情報を、前記移動無線端末装置に送信し、
前記移動無線端末装置は、
第５通信手段により、前記第２の無線通信ネットワークから前記第１加入者識別情報を受信した場合に、この第１加入者識別情報および前記第１記憶手段が記憶する個体識別情報を用いて、前記第１の無線通信ネットワークに接続することを特徴とする移動通信システム制御方法。
【請求項５】
第１の無線通信ネットワークと第２の無線通信ネットワークに無線接続可能な移動無線端末装置において、
当該移動無線端末装置に固有に割り当てられた個体識別情報を記憶する第１記憶手段と、
前記第２の無線通信ネットワークに無線接続するために必要な第２加入者識別情報を記憶する第２記憶手段と、
この第２記憶手段が記憶する第２加入者識別情報を送信して、前記第２の無線通信ネットワークに無線接続し、前記第１記憶手段が記憶する個体識別情報を送信する第１通信手段と、
前記第２加入者識別情報に対応し且つ前記移動無線端末装置が前記第１の無線通信ネットワークに無線接続するために必要な第１加入者識別情報を、前記第１の無線通信ネットワークからの前記第１加入者識別情報に対する接続許可信号に基づいて前記第２の無線通信ネットワークから受信した場合に、前記第１加入者識別情報および前記第１記憶手段が記憶する個体識別情報を用いて、前記第１の無線通信ネットワークに接続する第２通信手段とを具備することを特徴とする移動無線端末装置。
【発明の詳細な説明】
【技術分野】
【０００１】
この発明は、例えば移動無線端末装置に記憶された加入者ＩＤを用いてシステム認証を行う携帯電話システムなどの移動通信システムに関する。
【背景技術】
【０００２】
周知のように、従来の移動無線端末装置（Mobile station）は、端末本体に固有の移動機番号や、加入者を識別するための情報である加入者ＩＤを書き込んだ記憶手段を内蔵する。そして、移動無線端末装置は、移動通信網への位置登録や、発着信の際に、上記記憶手段から加入者ＩＤを読み出し、これを移動通信網との制御信号に付与して伝送することにより、移動通信網から加入者認証を受ける。これにより、移動無線端末装置は、待受けが可能となり、発着信の発生を待機する。
【０００３】
この加入者ＩＤは、加入者が移動通信事業者と契約を行った際に、使用する移動無線端末装置に内蔵される上記記憶手段に書き込まれる。また上記事業者のシステムにおいて、移動無線端末装置の移動機番号と加入者ＩＤが１対１となって管理されており、加入者ＩＤを他のＭＳに移動したり、共用することはできなかった。
【０００４】
したがって、加入者が複数の移動無線端末装置を利用する場合は、移動無線端末装置毎に事業者と契約して、移動無線端末装置毎に固有の加入者ＩＤを付与してもらう必要がある。このため、加入者は加入者ＩＤ毎に個別の電話番号を使い分ける不便さに加え、個々に基本料金を負担する必要があった。
【０００５】
これに対して、次世代の携帯電話システムでは、上述したような不都合を解消するため、上記加入者ＩＤを記憶する記憶手段をメモリカード化し、移動無線端末装置に着脱可能とすることが検討されている。上記メモリカードは、ＳＩＭ（Subscriber ID Module）カードと称され、全ての移動無線端末装置に標準搭載することが検討されている。
【０００６】
ＳＩＭカードを装着するインターフェースは、移動無線端末装置の適当な位置に設けられ、移動無線端末装置はＳＩＭカードが上記インターフェースに挿入されると、ＳＩＭカードに書き込まれた加入者ＩＤで読み出し、これを利用して移動通信網からの着信待受けが可能となる。
【０００７】
このため、加入者が移動無線端末装置を新機種などに変更する場合、ＳＩＭカードを新機種のインターフェースに差し込むだけで、使用が可能となる。また、ＳＩＭカードを移動無線端末装置間で差し替えればよいため、加入者は複数の加入者契約をすること無く、音声通信用の電話機、データ通信用のパーソナルコンピュータ、小型メール端末装置等を使い分けることができ、利便が高い。
【０００８】
しかしながら、複数の移動無線端末装置を使い分ける場合、ＳＩＭカードをその都度差し替える必要があり、非常に面倒である。また一般に、音声通信用の電話機が常用され、着信を待受ける必要があるので、ＳＩＭカードは、主として上記電話機に差し込まれている必要がある。このため、非常用のデータ通信用のパーソナルコンピュータや、小型メール端末等を利用した場合、通信が終了したら、その都度、電話機にＳＩＭカードを戻す作業が必須となり、加入者にとってＳＩＭカードの差し替え作業が負担となっていた。
【０００９】
これに対して従来は、ＳＩＭカードと移動無線端末装置に無線通信手段を設け、両者が無線通信することで、ＳＩＭカードに記憶された加入者ＩＤ情報を移動無線端末装置に伝送する方式が提案されている（例えば、特許文献１参照）。しかし、この方式では、ＳＩＭカードを常に携帯する必要があり、小型のＳＩＭカードは紛失したり、所在が不明となる虞があるという問題があった。
【特許文献１】特開２００２−０７８０１４
【発明の開示】
【発明が解決しようとする課題】
【００１０】
従来では、加入者ＩＤを記憶する記憶モジュールを着脱する必要があり、ユーザにとって面倒なばかりか、紛失する虞もあるという問題があった。
この発明は上記の問題を解決すべくなされたもので、移動無線端末装置から記憶モジュールの着脱が不要で、利便性の高い移動通信システム、移動通信システム制御方法および移動無線端末装置を提供することを目的とする。
【課題を解決するための手段】
【００１１】
上記の目的を達成するために、この発明は、移動無線端末装置が無線接続される第１の無線通信ネットワークと第２の無線通信ネットワークとを備えた移動通信システムにおいて、前記移動無線端末装置は、当該移動無線端末装置に固有に割り当てられた個体識別情報を記憶する第１記憶手段と、前記第２の無線通信ネットワークに無線接続するために必要な第２加入者識別情報を記憶する第２記憶手段と、この第２記憶手段が記憶する第２加入者識別情報を送信して、前記第２の無線通信ネットワークに無線接続し、前記第１記憶手段が記憶する個体識別情報を送信する第１通信手段とを備え、前記第２の無線通信ネットワークは、第１加入者識別情報と第２加入者識別情報とを対応づけて記憶する第３記憶手段と、前記移動無線端末装置から個体識別情報および第２加入者識別情報を受信する第１受信手段と、この第１受信手段が受信した第２加入者識別情報に対応する第１加入者識別情報を、前記第３記憶手段から検出する検出手段と、この検出手段が検出した第１加入者識別情報と前記第１受信手段が受信した個体識別情報を、前記第１の無線通信ネットワークに対して送信する第２通信手段を備え、前記第１の無線通信ネットワークは、前記第２の無線通信ネットワークから第１加入者識別情報と個体識別情報を受信する第２受信手段と、この第２受信手段が第１加入者識別情報と個体識別情報を受信した場合に、前記第２の無線通信ネットワークに対して、接続許可を示す許可情報を送信する第３通信手段とを備え、さらに、前記第２の無線通信ネットワークは、前記第１の無線通信ネットワークから前記許可情報を受信した場合に、前記検出手段が検出した第１加入者識別情報を、前記移動無線端末装置に送信する第４通信手段を備え、さらに、前記移動無線端末装置は、前記第２の無線通信ネットワークから前記第１加入者識別情報を受信した場合に、この第１加入者識別情報および前記第１記憶手段が記憶する個体識別情報を用いて、前記第１の無線通信ネットワークに接続する第５通信手段を備えて構成するようにした。
【発明の効果】
【００１２】
この発明によれば、移動無線端末装置から記憶モジュールの着脱が不要で、利便性の高い移動通信システム、移動通信システム制御方法および移動無線端末装置を提供できる。
【発明を実施するための最良の形態】
【００１３】
以下、図面を参照して、この発明の一実施形態について説明する。  
図１は、この発明の一実施形態に係わる移動通信システムの構成を示すものである。この移動通信システムは、主たる構成要素として、移動無線端末装置１００と、携帯電話システムなどの移動通信サービスを提供する第１ネットワーク１０と、公衆無線ＬＡＮなどのネットワークサービスを提供する第２ネットワーク２０と、これらのネットワークを接続する公衆網３０とを備えている。また第１ネットワーク１０は、複数の無線基地局５００と、これらを統括して管理する制御局４００とを備える。第２ネットワーク２０は、複数の無線基地局２００と、これらから接続可能なデータベース局３００とを備える。
【００１４】
図２に、移動無線端末装置１００の主たる構成を示す。移動無線端末装置１００は、第１通信部１０１と、第２通信部１０２と、信号処理部１０３と、記憶部１０４と、不揮発記憶部１０５と、ＧＰＳ受信部１０６と、制御部１１０とを備える。
【００１５】
第１通信部１０１は、第１ネットワーク１０の無線基地局５００と無線通信を行うものである。第２通信部１０２は、第２ネットワーク２０の無線基地局２００と無線通信を行うもので、受信した所望の無線信号のダウンコンバートや復調、および変調による送信信号の生成や、この送信信号の無線信号へのアップコンバートなどを行う。信号処理部１０３は、第１通信部１０１および第２通信部１０２が受信した信号から受信データを再生したり、送信すべきデータの生成を行うものである。
【００１６】
記憶部１０４は、後述する制御部１１０で用いられる制御プログラムや制御データなど種々の情報を記憶するものである。また記憶部１０４は、当該移動無線端末装置１００の位置情報を一時的に記憶する位置情報記憶手段１０４ａと、第１ネットワーク１０を利用するために、サービス加入時に予め割り当てられた加入者識別情報ＳＩＤを一時的に記憶する加入者識別記憶手段１０４ｂを備える。
【００１７】
また記憶部１０４は、当該移動無線端末装置１００に固有に割り当てられた個体識別情報ＴＩＤや、第２ネットワーク２０を利用するために予め割り当てられた無線ネットワーク識別情報ＰＩＤやパスワードを記憶する。なお、第２ネットワーク２０が家庭内などのローカルなネットワークであれば、上記パスワードとして、移動無線端末装置１００のＰＩＮコードを代用するようにしてもよい。
【００１８】
不揮発記憶部１０５は、フラッシュメモリなどのメモリであって、加入者識別記憶手段１０４ｂが記憶する加入者識別情報ＳＩＤを、加入者識別記憶手段１０４ｂから退避させて記憶するものである。  
ＧＰＳ受信部１０６は、図示しないＧＰＳ（Global Positioning System）衛星から送信される無線信号を受信して、当該移動無線端末装置１００の位置情報を求めるものである。
【００１９】
制御部１１０は、記憶部１０４に記憶される制御プログラムにしたがって、当該移動無線端末装置１００の各部を統括して制御するものであって、第１通信部１０１および第２通信部１０２を制御し、第１ネットワーク１０や第２ネットワーク２０との通信を実現するものである。
【００２０】
図３に、無線基地局２００の主たる構成を示す。無線基地局２００は、無線通信部２０１と、ネットワーク通信部２０２と、制御部２１０とを備える。無線通信部２０１は、例えばＩＥＥＥ８０２．１１ｂや１１ｇなどの通信方式を用いて、移動無線端末装置１００と無線通信を行うものである。
【００２１】
ネットワーク通信部２０２は、第２ネットワーク２０および公衆網３０を通じてデータベース局３００と通信したり、第２ネットワーク２０および公衆網３０を通じて、第１ネットワーク１０と通信するものである。制御部２１０は、当該無線基地局２００の各部を統括して制御するものであって、無線通信部２０１を制御して移動無線端末装置１００と無線通信し、この移動無線端末装置１００を第２ネットワーク２０に接続したり、さらには公衆網３０を通じて、第１ネットワーク１０に接続する制御を行う。
【００２２】
図４に、データベース局３００の主たる構成を示す。データベース局３００は、ネットワーク通信部３０１と、記憶部３０２と、制御部３１０とを備える。ネットワーク通信部３０１は、第２ネットワーク２０や公衆網３０を通じて無線基地局２００と通信するものである。
【００２３】
記憶部３０２は、第２ネットワーク２０が提供する公衆無線ＬＡＮサービスを利用するために必要な情報として、上記サービス加入時に割り当てられたユーザＩＤ（無線ネットワーク識別情報ＰＩＤ）とパスワードを対応づけて記憶するとともに、このユーザＩＤの所有者が、第１ネットワーク１０が提供する移動通信サービスを利用するために予め割り当てられた加入者識別情報ＳＩＤを上記ユーザＩＤに対応づけて記憶する。
【００２４】
制御部３１０は、記憶部３０２に記憶される制御プログラムにしたがって、当該データベース局３００の各部を統括して制御するものであって、ネットワーク通信部３０１を制御し、第２ネットワーク２０や公衆網３０を通じた無線基地局２００との通信を実現するものである。
【００２５】
図５に、制御局４００の主たる構成を示す。制御局４００は、ネットワーク通信部４０１と、記憶部４０２と、制御部４１０とを備える。ネットワーク通信部４０１は、公衆網３０を通じて第１ネットワーク１０と通信したり、無線基地局５００と通信するものである。
【００２６】
記憶部４０２は、第１ネットワーク１０が提供する移動通信サービスを利用するために必要な情報として、上記サービスの加入者識別情報ＳＩＤと、その加入者が利用する移動無線端末装置１００の個体識別情報ＴＩＤを対応づけて記憶する。
【００２７】
制御部４１０は、記憶部４０２に記憶される制御プログラムにしたがって、当該制御局４００の各部を統括して制御するものであって、ネットワーク通信部４０１を制御し、第１ネットワーク１０を通じて無線基地局５００を制御し、無線基地局５００に接続する移動無線端末装置１００を上記無線基地局５００に対応づけて位置情報を管理する位置登録処理や、無線基地局５００に接続する移動無線端末装置１００を第１ネットワーク１０や公衆網３０を通じてたの通信局と接続する交換接続制御を行うものである。
【００２８】
図６に、無線基地局５００の主たる構成を示す。無線基地局５００は、無線通信部５０１と、ネットワーク通信部５０２と、制御部５１０とを備える。無線通信部５０１は、例えばＷ−ＣＤＭＡ（Wideband Code Division Multiple Access）などの通信方式を用いて、移動無線端末装置１００と無線通信を行うものである。
【００２９】
ネットワーク通信部５０２は、第１ネットワーク１０を通じて制御局４００と通信するものである。制御部５１０は、当該無線基地局５００の各部を統括して制御するものであって、無線通信部５０１を制御して移動無線端末装置１００と無線通信し、この移動無線端末装置１００を第１ネットワーク１０に接続する制御を行う。
【００３０】
次に、上記構成の移動通信システムの動作について説明する。以下の説明では特に、この発明に関わる、移動無線端末装置１００から発信を行う際の動作について説明する。  
まず、図７を参照して、移動無線端末装置１００の発信動作について説明する。図７は、移動無線端末装置１００の発信時に実行される処理を説明するフローチャートで、この処理は制御部１１０によってなされ、その制御プログラムは記憶部１０４に記憶される。この処理は、移動無線端末装置１００の電源が投入されると、電源が切られるまで繰り返し実行される。なお、電源が投入されると、不揮発記憶部１０５に記録される加入者識別情報ＳＩＤが、記憶部１０４の加入者識別記憶手段１０４ｂに読み出される。
【００３１】
まずステップ７ａにおいて制御部１１０は、ユーザが図示しない入力部の操作を通じて、第１ネットワーク１０への接続要求を行ったことを検出する。ここで、上記接続要求を検出した場合には、ステップ７ｂに移行し、上記接続要求を検出しない場合には、引き続き上記接続要求の発生を監視する。
【００３２】
ステップ７ｂにおいて制御部１１０は、加入者識別記憶手段１０４ｂに記憶される情報を検査し、移動通信システム（第１ネットワーク１０）を利用するための加入者識別情報ＳＩＤが記憶されているか否かを判断する。ここで、加入者識別情報ＳＩＤが記憶されている場合には、ステップ７ｃに移行し、一方、加入者識別情報ＳＩＤが記憶されていない場合に、ステップ７ｄに移行する。
【００３３】
ステップ７ｃにおいて制御部１１０は、当該移動無線端末装置１００の各部を制御するとともに、第１通信部１０１を制御して、不揮発記憶部１０５あるいは加入者識別記憶手段１０４ｂに記憶される加入者識別情報ＳＩＤを用いて、移動通信システム（第１ネットワーク１０）への接続処理を実行する。これにより、移動無線端末装置１００は、第１ネットワーク１０を通じた通信が可能となる。以後、通信が終了すると、ステップ７ａに移行する。
【００３４】
一方、ステップ７ｄにおいて制御部１１０は、当該移動無線端末装置１００の各部を制御するとともに、第２通信部１０２を制御して、記憶部１０４に記憶される情報を用いて、公衆無線ＬＡＮ（第２ネットワーク２０）への接続処理を実行し、これにより、移動無線端末装置１００は、第２ネットワーク２０を通じた通信が可能となり、ステップ７ｅに移行する。
【００３５】
この接続処理では、はじめに図８に示すようなフォーマットでデータが送信される。すなわち、データベース局３００の第２ネットワーク２０上でのアドレスを示すアドレス情報８０１と、記憶部１０４に記憶される個体識別情報ＴＩＤ８０２と、ステップ７ａで接続要求されたネットワーク、すなわち第１ネットワーク１０の識別情報８０３と、ＧＰＳ受信部１０６で検出された当該移動無線端末装置１００の位置情報８０４とが送信される。
【００３６】
ステップ７ｅにおいて制御部１１０は、第２通信部１０２を制御して、無線基地局２００に対し、移動通信システム（第１ネットワーク１０）の加入者識別情報ＳＩＤを要求し、ステップ７ｆに移行する。  
ステップ７ｆにおいて制御部１１０は、第２通信部１０２を制御して、無線基地局２００から送信される信号をモニタし、ステップ７ｇに移行する。
【００３７】
ステップ７ｇにおいて制御部１１０は、ステップ７ｆで行ったモニタの結果、無線基地局２００から加入者識別情報ＳＩＤが送信されている場合には、ステップ７ｈに移行し、一方、無線基地局２００から加入者識別情報ＳＩＤが送信されていない場合には、ステップ７ｆに移行する。
【００３８】
ステップ７ｈにおいて制御部１１０は、第２通信部１０２を制御して、無線基地局２００から送信される加入者識別情報ＳＩＤを受信し、これを記憶部１０４の加入者識別記憶手段１０４ｂに記録し、ステップ７ｂに移行する。
【００３９】
なお、移動無線端末装置１００の電源が切られた場合には、終了処理の１つとして、加入者識別記憶手段１０４ｂに記録される加入者識別情報ＳＩＤを、不揮発記憶部１０５に退避させる処理が実行される。
【００４０】
次に、図１に示した移動通信システムにおいて、加入者識別情報ＳＩＤを記憶しない移動無線端末装置１００から発信を行った場合の動作について説明する。この動作のシーケンスを図９に示す。
【００４１】
まず、移動無線端末装置１００は、図７に示した処理を実行し、ユーザから第１ネットワーク１０への接続要求が与えられると、加入者識別情報ＳＩＤを記憶しないことより、ステップ７ｄにて公衆無線ＬＡＮへの接続処理を実行する。これにより、図８に示したようなデータが無線基地局２００に宛てて送信される（Ｓ９００）。
【００４２】
これに対して無線基地局２００では、無線通信部２０１を通じて上記データを受信し、このデータを制御部２１０が解析して、移動無線端末装置１００が第２ネットワーク２０を介して加入者識別情報ＳＩＤを取得する処理であることを認識する。これに伴って無線基地局２００では、制御部２１０が無線通信部２０１を制御して、移動無線端末装置１００に対して、第２ネットワーク２０に接続するためのユーザＩＤ（無線ネットワーク識別情報ＰＩＤ）とパスワードを送信するように要求する（Ｓ９０１）。
【００４３】
これに対して移動無線端末装置１００では、無線基地局２００からの無線信号を第２通信部１０２が受信し、信号処理部１０３の信号処理結果から上記要求を制御部１１０が検出すると、制御部１１０は、記憶部１０４から無線ネットワーク識別情報ＰＩＤやパスワードを読み出し、これらを、信号処理部１０３および第２通信部１０２を制御して、無線基地局２００に送信する（Ｓ９０２）。
【００４４】
これに対して無線基地局２００では、無線通信部２０１を通じて上記無線ネットワーク識別情報ＰＩＤやパスワードを受信する。すると制御部２１０は、ネットワーク通信部２０２を制御して、Ｓ９００で取得したデータに含まれるアドレス情報８０１に基づいて、データベース局３００を宛先とし、Ｓ９００で取得したデータに含まれる個体識別情報ＴＩＤ８０２と、第１ネットワーク１０の識別情報８０３、およびＳ９０２で取得した無線ネットワーク識別情報ＰＩＤとパスワードを送信する（Ｓ９０３）。
【００４５】
これに対してデータベース局３００では、ネットワーク通信部３０１が、Ｓ９０３で無線基地局２００が送信した情報を受信する。制御部３１０は、記憶部３０２に記憶される情報を参照し、受信した無線ネットワーク識別情報ＰＩＤとパスワードとの対応が正当なものであるかを確認する。
【００４６】
そして制御部３１０は、正当なものであることを確認すると、記憶部３０２に記憶される情報を参照し、受信した無線ネットワーク識別情報ＰＩＤに対応づけられた加入者識別情報ＳＩＤを検出する。ここで、上記無線ネットワーク識別情報ＰＩＤに複数の加入者識別情報ＳＩＤが対応づけられて記憶部３０２に記憶される場合には、受信した識別情報８０３に基づいて、第１ネットワーク１０に対応する加入者識別情報ＳＩＤを検出する。そして、制御部３１０は、ネットワーク通信部３０１を制御して、上記検出した加入者識別情報ＳＩＤを無線基地局２００に宛てて送信する（Ｓ９０４）。
【００４７】
これに対して無線基地局２００では、ネットワーク通信部２０２を通じて上記加入者識別情報ＳＩＤを受信する。すると制御部２１０は、ネットワーク通信部２０２を制御して、Ｓ９００で取得したデータに含まれる識別情報８０３に基づいて第１ネットワーク１０を宛先とし、Ｓ９００で取得したデータに含まれる個体識別情報ＴＩＤ８０２と、上記加入者識別情報ＳＩＤ、Ｓ９００で取得したデータに含まれる位置情報８０４とを対応づけて送信する（Ｓ９０５）。これにより、上記個体識別情報ＴＩＤ８０２と上記加入者識別情報ＳＩＤと上記位置情報８０４とは、公衆網３０を介して第１ネットワーク１０に伝送される。
【００４８】
これに対して制御局４００では、ネットワーク通信部４０１を通じて上記個体識別情報ＴＩＤ８０２と上記加入者識別情報ＳＩＤと上記位置情報８０４を受信する。すると制御部４１０は、受信した個体識別情報ＴＩＤ８０２と加入者識別情報ＳＩＤを記憶部４０２に記憶する。
【００４９】
そして制御部４１０は、上記記憶を行った後、記憶部４０２に記憶される情報を参照し、受信した位置情報８０４に基づいて、最寄りの無線基地局が無線基地局５００であることを検出する。そして、制御部４１０は、位置登録情報として、無線基地局５００の識別情報と、受信した個体識別情報ＴＩＤ８０２と加入者識別情報ＳＩＤとを対応づけて、記憶部４０２に記録する。
【００５０】
また制御部４１０は、ネットワーク通信部４０１を制御して、無線基地局５００に対して、無線ゾーン内に個体識別情報ＴＩＤ８０２および加入者識別情報ＳＩＤに対応する移動無線端末装置１００からの接続要求を待機するように指示する（Ｓ９０６）。
【００５１】
これに対して無線基地局５００では、ネットワーク通信部５０２が上記指示を受信すると、制御部５１０が無線通信部５０１を制御して、上記移動無線端末装置１００からの接続要求の受信を待機するとともに、その準備が完了すると、ネットワーク通信部５０２を制御して、準備が完了した旨を制御局４００に通知する（Ｓ９０７）。なお、上記通知とともに、制御部５１０は、タイマを起動する。
【００５２】
これに対して制御局４００では、ネットワーク通信部４０１を通じて無線基地局５００から準備完了の通知を受信すると、制御部４１０が、ネットワーク通信部４０１を通じて、無線基地局２００に対して、登録完了通知（接続許可通知）を行う（Ｓ９０８）。
【００５３】
これに対して無線基地局２００では、ネットワーク通信部２０２が上記登録完了通知を受信すると、制御部２１０が無線通信部２０１を制御して、Ｓ９０４で受信した加入者識別情報ＳＩＤを移動無線端末装置１００に送信する（Ｓ９０９）。
【００５４】
これに対して移動無線端末装置１００は、第２通信部１０２が上記加入者識別情報ＳＩＤを受信する（ステップ７ｇおよびステップ７ｈ）と、制御部１１０が第１通信部１０１を制御して、上記受信した加入者識別情報ＳＩＤおよび記憶部１０４が記憶する個体識別情報ＴＩＤを無線基地局５００に宛てて送信し、接続要求を行う（Ｓ９１０，ステップ７ｃ）。
【００５５】
これに対して無線基地局５００では、無線通信部５０１が上記接続要求を受信すると、制御部５１０が、受信した接続要求に含まれる加入者識別情報ＳＩＤおよび個体識別情報ＴＩＤが、Ｓ９０７より待機していたものと一致することを確認する。
【００５６】
この確認が為され、かつＳ９０７で起動したタイマが計時する時間が予め設定した時間内の場合に、制御部５１０は、無線通信部５０１を制御して、上記移動無線端末装置１００と通信し、移動無線端末装置１００を第１ネットワーク１０に接続する。なお、Ｓ９０７で起動したタイマが計時する時間が予め設定した時間を経過した場合には、Ｓ９０６で取得した加入者識別情報ＳＩＤおよび個体識別情報ＴＩＤを消去する。
【００５７】
以上のように、上記構成の移動通信システムでは、移動無線端末装置１００がユーザから第１ネットワーク１０への接続要求を受け付けた場合に、第１ネットワーク１０を利用するために必要な加入者識別情報ＳＩＤを記憶していないと、第２ネットワーク２０に接続して上記加入者識別情報ＳＩＤを要求する。
【００５８】
これに対して第２ネットワーク２０は、個体識別情報ＴＩＤなどから移動無線端末装置１００が正当な利用者であるか否かを判定し、正当な利用者である場合には、公衆網３０を通じて、第１ネットワーク１０から上記加入者識別情報ＳＩＤを取得し、移動無線端末装置１００に通知するようにしている。そして、この通知を受けた移動無線端末装置１００は、通知された加入者識別情報ＳＩＤを用いて、第１ネットワーク１０へ接続するようにしている。
【００５９】
すなわち、上記構成の移動通信システムによれば、移動無線端末装置１００が加入者識別情報ＳＩＤを記憶していない場合でも、第２ネットワーク２０により移動無線端末装置１００は認証を受け、第１ネットワーク１０から公衆網３０および第２ネットワーク２０を通じて、加入者識別情報ＳＩＤを取得できる。したがって、移動無線端末装置１００は、加入者識別情報ＳＩＤを記憶する記憶モジュールを着脱しなくても、第１ネットワーク１０に接続でき、利便性の高い。
【００６０】
また移動無線端末装置１００が第１ネットワーク１０や第２ネットワーク２０以外のネットワークにも接続可能な場合には、第２ネットワーク２０は、Ｓ９０４で説明したように、移動無線端末装置１００の個体識別情報ＴＩＤ８０２に、ネットワーク毎の加入者識別情報ＳＩＤを対応づけて記憶部３０２に記憶しておき、移動無線端末装置１００より識別情報８０３で指定されるネットワークに対応する加入者識別情報ＳＩＤを上記ネットワークに送信して、移動無線端末装置１００の認証を行わせる。
【００６１】
したがって、上記構成の移動通信システムによれば、第１ネットワーク１０以外に存在するネットワークについても、第２ネットワーク２０を通じて加入者識別情報ＳＩＤを取得できる。
【００６２】
また、制御局３００で、複数の個体識別情報ＴＩＤ８０２に、１つの加入者識別情報ＳＩＤを対応づけて記憶しておき、この情報に基づいて、移動無線端末装置１００の正当性を判断するようにしてもよい。これによれば、１つの加入者識別情報ＳＩＤで複数の移動無線端末装置を使い分ける場合でも、移動無線端末装置から、加入者識別情報ＳＩＤを記憶する記憶モジュールの着脱が不要となり、利便性が向上する。
【００６３】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００６４】
その一例として例えば、上記実施の形態では、Ｓ９０６において制御局４００は、受信した位置情報８０４に最寄りの無線基地局５００を検出して、この無線基地局に移動無線端末装置１００からの接続要求を待機するように指示した。これに代わって例えば、制御局４００は、受信した位置情報８０４に基づいて、移動無線端末装置１００が属する無線ゾーンを形成する無線基地局５００を推定して、この推定した無線基地局５００に移動無線端末装置１００からの接続要求を待機するように指示してもよい。また１つの無線基地局だけでなく、複数の無線基地局に接続要求を待機するように指示してもよい。
【００６５】
また、図１０に示すように、記憶部１０４に加入者情報管理手段１０４ｃを設けるようにしてもよい。この加入者情報管理手段１０４ｃは、加入者識別記憶手段１０４ｂに記憶される加入者識別情報ＳＩＤの用途を、例えばサービスなどに応じて限定するものである。
【００６６】
図７や図９に示した処理により、移動無線端末装置１００が第２ネットワーク２０より加入者識別情報ＳＩＤを取得し、これを加入者識別記憶手段１０４ｂに記憶していても、ユーザが要求するサービスが、上記ユーザに提供できないサービスの場合には、第１ネットワーク１０へ接続を行わない。
【００６７】
なお、サービスが提供できない場合としては、サービスの利用に制約（接続時間、接続時刻、接続回数）がある場合などである。その具体的な実現方法の一例としては、制約を示す制限情報を記憶部１０４に記憶しておき、第２ネットワーク２０より加入者識別情報ＳＩＤを取得した場合でも、記憶部１０４が記憶する制限情報が利用制限を示す場合には、第１ネットワーク１０への接続、もしくはサービス要求を行わない。
【００６８】
さらに、上記実施の形態では、移動無線端末装置１００がＧＰＳ受信部１０６にて位置情報を検出し、この情報を第２ネットワーク２０および公衆網３０を通じて第１ネットワーク１０に送信するようにしたが、これに代わって例えば、移動無線端末装置１００は、無線基地局５００が固有に送信する情報を受信し、これを位置情報として第２ネットワーク２０および公衆網３０を通じて第１ネットワーク１０に送信するようにしてもよい。
【００６９】
その他、この発明の要旨を逸脱しない範囲で種々の変形を施しても同様に実施可能であることはいうまでもない。
【図面の簡単な説明】
【００７０】
【図１】この発明に係わる移動通信システムの一実施形態の構成を示す図。
【図２】図１に示した移動通信システムの移動無線端末装置の構成を示す回路ブロック図。
【図３】図１に示した移動通信システムの第２ネットワークの無線基地局の構成を示す回路ブロック図。
【図４】図１に示した移動通信システムのデータベース局の構成を示す回路ブロック図。
【図５】図１に示した移動通信システムの制御局の構成を示す回路ブロック図。
【図６】図１に示した移動通信システムの第１ネットワークの無線基地局の構成を示す回路ブロック図。
【図７】図２に示した移動無線端末装置の動作を説明するためのフローチャート。
【図８】図７に示した処理で移動無線端末装置から無線基地局に宛てて送信されるデータのフォーマットを示す図。
【図９】図１に示した移動通信システムの動作を説明するためのシーケンス図。
【図１０】図１に示した移動通信システムの移動無線端末装置の他の構成を示す回路ブロック図。
【符号の説明】
【００７１】
１０…第１ネットワーク、２０…第２ネットワーク、３０…公衆網、１００…移動無線端末装置、１０１…第１通信部、１０２…第２通信部、１０３…信号処理部、１０４…記憶部、１０４ａ…位置情報記憶手段、１０４ｂ…加入者識別記憶手段、１０４ｃ…加入者情報管理手段、１０５…不揮発記憶部、１０６…ＧＰＳ受信部、１１０…制御部、２００…無線基地局、２０１…無線通信部、２０２…ネットワーク通信部、２１０…制御部、３００…データベース局、３０１…ネットワーク通信部、３０２…記憶部、３１０…制御部、４００…制御局、４０１…ネットワーク通信部、４０２…記憶部、４１０…制御部、５００…無線基地局、５０１…無線通信部、５０２…ネットワーク通信部、５１０…制御部。
【図１】
0004738139.tif 000002
【図２】
0004738139.tif 000003
【図３】
0004738139.tif 000004
【図４】
0004738139.tif 000005
【図５】
0004738139.tif 000006
【図６】
0004738139.tif 000007
【図７】
0004738139.tif 000008
【図８】
0004738139.tif 000009
【図９】
0004738139.tif 000010
【図１０】
0004738139.tif 000011